(57)【要約】【課題】  ブルートゥース通信でデジタルカメラと接続される携帯電話機において、比較的画像処理能力が低い携帯電話機であっても、比較的画像処理能力が高いデジタルカメラの高画質画像を受信することができる携帯電話機を提供する。【解決手段】  携帯電話機２は、携帯電話機２自体の低画像処理能力ではなく、ブルートゥース通信で接続利用可能なプリンタ３の高画像処理能力情報を、携帯電話機２の画像処理能力として、デジタルカメラ１に応答する（Ｓ２）。デジタルカメラ１は、これを受信して、プリンタ３の高画像処理能力に対応する主画像を携帯電話機２に送信し（Ｓ３）、携帯電話機２は、この主画像を記憶する（Ｓ４）。【選択図】  図５
2005236488.tif 000002
【特許請求の範囲】
【請求項１】
画像送信元の第１の無線通信端末から送信される画像処理能力情報要求を受信する手段と、
自機の画像処理能力よりも高い高画像処理能力情報を前記第１の無線通信端末に応答する手段と、
前記第１の無線通信端末から送信される前記高画像処理能力で処理された主画像を受信して記憶する手段とを
具備することを特徴とする第２の無線通信端末。
【請求項２】
画像送信元の第１の無線通信端末から送信される画像処理能力情報要求を受信する手段と、
自機の画像処理能力よりも高い高画像処理能力情報を前記第１の無線通信端末に応答する手段と、
前記第１の無線通信端末から送信される前記高画像処理能力で処理された主画像を受信して記憶する手段と、
前記主画像を第３の無線通信端末に転送する手段とを
具備することを特徴とする第２の無線通信端末。
【請求項３】
前記主画像のサムネイル版のサムネイル画像を前記第１の無線通信端末に要求する手段と、
前記第１の無線通信端末から送信される前記サムネイル画像を受信して、前記主画像と関連付けて記憶する手段とを
更に具備することを特徴とする請求項１又は請求項２に記載の第２の無線通信端末。
【請求項４】
前記サムネイル画像を表示する手段を
更に具備することを特徴とする請求項３に記載の第２の無線通信端末。
【請求項５】
前記第１の無線通信端末との通信方式および前記第３の無線通信端末との通信方式は、ブルートゥース通信方式であることを特徴とする請求項１又は請求項２に記載の第２の無線通信端末。
【請求項６】
前記第３の無線通信端末から送信される当該第３の無線通信端末の画像処理能力情報を受信して、当該画像処理能力情報を前記高画像処理能力情報とすることを特徴とする請求項２に記載の第２の無線通信端末。
【発明の詳細な説明】
【技術分野】
【０００１】
本発明は、近距離無線通信のブルートゥース（ＴＭ）通信システムにおいて、同システムの無線通信端末間の画像通信に関するもので、特に、無線通信端末の通信制御に関する。
【背景技術】
【０００２】
（従来例１）
ブルートゥース通信システムでの無線通信端末間の画像通信に関する標準仕様書がある（例えば、非特許文献１参照。）。  
この非特許文献１の標準仕様書では、無線通信端末であるイニシエータとレスポンダ間で、小容量のサムネイルサイズ（１６０ドット×１２０ドット）のＪＰＥＧ画像の通信はサポートが必須となっている。また、イニシエータは、画像を送信する前に、レスポンダに対して、レスポンダの受信可能なイメージサイズやエンコード方式などの画像処理能力情報を要求し、取得する。その後、イニシエータは、レスポンダの画像処理能力で表示や運用が可能な画像のみを送信することが推奨されている。  
これにより、イニシエータは、レスポンダの画像処理能力に対応した画像を送信することができる。
【０００３】
（従来例２）
主画像から小容量の副画像データを生成すると共に、この主画像データと副画像データを電話回線等の有線回線や無線回線を介して伝送する画像取扱装置がある（例えば、特許文献１参照。）。  
この特許文献１の画像取扱装置にあっては、送信側の画像取扱装置は、複数の画像それぞれについて、主画像から小容量の副画像データを生成し、複数の画像それぞれについて、主画像データと副画像データを関連付けて管理する。  
また、画像データの伝送にあっては、最初に、送信側の画像取扱装置は、複数の副画像データを受信側の画像取扱装置へ送信する。受信側の画像取扱装置は、受信した複数の副画像データを再生して、複数の中から欲する画像を選択し、選択番号を送信側の画像取扱装置へ要求送信する。次に、送信側の画像取扱装置は、要求された選択番号の主画像データを受信側の画像取扱装置へ送信する。受信側の画像取扱装置は、受信した主画像データを再生して確認する。  
これにより、選択用の複数の副画像データの伝送は、小容量であり、伝送時に有利となる。
【非特許文献１】Ｂｌｕｅｔｏｏｔｈ  ＳＩＧ発行「Ｂａｓｉｃ  Ｉｍａｇｉｎｇ  Ｐｒｏｆｉｌｅ（ＢＩＰ）仕様書」
【特許文献１】特開平７−２４５７２３号公報（第６、７、１２、１５頁、図１、図２、図３６）
【発明の開示】
【発明が解決しようとする課題】
【０００４】
ブルートゥース方式の無線通信端末として、デジタルカメラ、携帯電話機、プリンタ等、数多くの種類がある。これらの無線通信端末間のブルートゥース通信による対向は、任意の組合せが可能である。また、これらの無線通信端末の画像表示や画像変換処理等の画像処理能力は、それぞれ異なる。
【０００５】
上述した従来例１においては、比較的高い画像処理能力の例えばデジタルカメラ（第１の無線通信端末）から比較的低い画像処理能力の例えば携帯電話機（第２の無線通信端末）にブルートゥース通信で画像を送信する場合、デジタルカメラの高い画像処理能力で処理された高画質の画像を携帯電話機に送信することはできない。携帯電話機の比較的低い画像処理能力に見合った低画質の画像しか送信することができず、携帯電話機の画像メモリには低画質の画像しか記憶されない。従って、携帯電話機は、受信した低画質の画像を高い画像処理能力の例えばプリンタ（第３の無線通信端末）に転送しても、低画質の画像しか再生されないという問題があった。
【０００６】
上述した従来例２においては、受信側の画像取扱装置は、高画質の主画像データおよび低画質の副画像データのどちらも再生処理する能力を持っている。ゆえに、送信側の画像取扱装置は、受信側の画像取扱装置の画像処理能力に関知することなく、受信側の画像取扱装置へ主画像データおよび低画質の副画像データを送信する。つまり、受信側の画像取扱装置の画像処理能力が低い場合についての記載がない。
【０００７】
本発明は、上記の問題点を解決するためになされたもので、画像処理能力が低くても、高画質の画像を受信して記憶することができる無線通信端末（第２の無線通信端末）を提供することを目的とする。また、この高画質の画像を他の無線通信端末（第３の無線通信端末）に転送して、転送先で高画質の画像を再生させることができる無線通信端末（第２の無線通信端末）を提供することを目的とする。
【課題を解決するための手段】
【０００８】
上記目的を達成するために、本発明の第２の無線通信端末は、画像送信元の第１の無線通信端末から送信される画像処理能力情報要求を受信する手段と、自機の画像処理能力よりも高い高画像処理能力情報を前記第１の無線通信端末に応答する手段と、前記第１の無線通信端末から送信される前記高画像処理能力で処理された主画像を受信して記憶する手段とを具備することを特徴とする。
【０００９】
また、本発明の第２の無線通信端末は、画像送信元の第１の無線通信端末から送信される画像処理能力情報要求を受信する手段と、自機の画像処理能力よりも高い高画像処理能力情報を前記第１の無線通信端末に応答する手段と、前記第１の無線通信端末から送信される前記高画像処理能力で処理された主画像を受信して記憶する手段と、前記主画像を第３の無線通信端末に転送する手段とを具備することを特徴とする。
【発明の効果】
【００１０】
本発明によれば、自機の画像処理能力が低くても、高画質の画像を受信して記憶することが可能となる。また、この高画質の画像を他の無線通信端末に転送して、転送先で高画質の画像を再生させることが可能となる。
【発明を実施するための最良の形態】
【００１１】
以下、本発明の実施例を、図面を参照して説明する。
【実施例】
【００１２】
図１〜図７は、本発明をブルートゥース通信システムに適用した実施例を示し、図１はブルートゥース通信システムの構成図、図２はブルートゥース通信システムの携帯電話機の主要部のブロック図である。図３は携帯電話機の画像処理能力ファイルを示す図、図４は携帯電話機の画像ファイルを示す図、図５はブルートゥース通信システムにおけるデジタルカメラ（イニシエータ）から携帯電話機（レスポンダ）に画像を送信するシーケンスを説明する図、図６はブルートゥース通信システムにおける携帯電話機（イニシエータ）からプリンタ（レスポンダ）に画像を送信するシーケンスを説明する図、図７は携帯電話機（イニシエータ）がプリンタ（レスポンダ）の画像処理能力情報を入手するシーケンスを説明する図である。
【００１３】
図１は、ブルートゥース通信システムの構成図である。図１において、ブルートゥース通信システムは、デジタルカメラ１、携帯電話機２、プリンタ３、パソコン４、テレビ５などのブルートゥース搭載の無線通信端末によって構成される。これらの無線通信端末の画像処理能力は、一般的に携帯電話機２は低く、他の無線通信端末は高い場合が多い。  
イニシエータ、レスポンダ等の用語は、Ｂａｓｉｃ  Ｉｍａｇｉｎｇ  Ｐｒｏｆｉｌｅ（ＢＩＰ）仕様書で定義されるブルートゥース通信の端末の用語である。
【００１４】
今、デジタルカメラ１の近傍に、携帯電話機２しか存在しない場合などには、デジタルカメラ１（イニシエータ）は、画像をブルートゥース通信で携帯電話機２（レスポンダ）に送信して、携帯電話機２の画像メモリに記憶する。そして、携帯電話機２はイニシエータとして、この画像を携帯電話機２の近傍に存在するプリンタ３、パソコン４、テレビ５などのレスポンダに送信する。そして、プリンタ３、パソコン４、テレビ５などは、この画像を再生する。
【００１５】
また、デジタルカメラ１の画像の記憶装置の代用として携帯電話機２の画像メモリを利用する場合などにも、デジタルカメラ１の画像をブルートゥース通信で携帯電話機２に送信して、携帯電話機２の画像メモリに保管する。
【００１６】
図２は、ブルートゥース通信システムの携帯電話機の主要部のブロック図である。携帯電話機２の主要部は、キー入力部１１、ＬＣＤ１２、画像処理能力ファイル１３、画像ファイル１４、ブルートゥース通信部１５、制御部１６などにより構成されている。
【００１７】
次に、携帯電話機２の各部の機能について説明する。キー入力部１１は、ユーザーの手動操作用の入力手段である。ＬＣＤ１２は、操作用の表示、通信のデータや画像表示等の表示手段である。
【００１８】
画像処理能力ファイル１３は、画像サイズやエンコード方式等の画像処理能力を記憶するメモリであり、携帯電話機２自体の画像処理能力および携帯電話機２がブルートゥース通信で画像を送信する他の無線通信端末であるプリンタ３、パソコン４、テレビ５などの受信可能な画像処理能力が記憶される。
【００１９】
画像ファイル１４は、画像を記憶するメモリであり、不揮発性メモリ、取り外し可能なＳＤカードやＩＣカードなどがあり、ＳＤカードやＩＣカードなどであれば記憶容量としては大きく、大きな画像も記憶することができる。
【００２０】
ブルートゥース通信部１５は、他の無線通信端末であるデジタルカメラ１、プリンタ３、パソコン４、テレビ５等との間で短距離無線通信であるブルートゥース通信の電波の送信受信、変調および復調処理等を行う。
【００２１】
制御部１６は、ＣＰＵ、Ｉ／Ｏ、メモリ等から構成され、キー入力部１１との間のキー入力、ＬＣＤ１２との間の表示出力等のマンマシンインターフェース制御、画像処理能力ファイル１３の登録制御、画像ファイル１４の登録制御を行う。
【００２２】
また、制御部１６は、ブルートゥース通信部１５を制御して、他の無線通信端末であるデジタルカメラ１、プリンタ３、パソコン４、テレビ５等との間のブルートゥース通信制御を行って、制御情報や画像の送信受信を行う。
【００２３】
図３は、携帯電話機２の画像処理能力ファイル１３の詳細を説明する図である。携帯電話機２自体の画像処理能力は符号１３ａに記憶される。この携帯電話機２の画像処理能力１３ａは、ＬＣＤ１２の画面サイズが小さいことや画像処理を主目的とする装置ではないことなどから、一般的には高くなくて、大きな画像の表示や変換処理は行えない。例えば、ブルートゥース通信で画像を取り扱う最低限である小容量のサムネイルサイズ（１６０ドット×１２０ドット）のＪＰＥＧ画像の処理能力を備える。
【００２４】
プリンタ３の画像処理能力は符号１３ｂに記憶される。パソコン４の画像処理能力は符号１３ｃに記憶される。テレビ５の画像処理能力は符号１３ｄに記憶される。これらの装置は、携帯電話機２に比べると画像処理能力が高く、例えば、画像サイズは１２８０ドット×１０２４ドット、エンコード方式はＪＰＥＧ、その他の方式を備えている。
【００２５】
これらの画像処理能力１３ｂ、１３ｃ、１３ｄは、予めわかっているプリンタ３、パソコン４、テレビ５等の画像処理能力情報を既知情報として、登録しているものでもよい。また、近傍にプリンタ３、パソコン４、テレビ５等が無い場合には、標準的な画像処理能力を数種類登録しておいてもよい。
【００２６】
図４は、携帯電話機２の画像ファイル１４の詳細を説明する図である。ヘッダー１４ａ、主画像１４ｂ、サムネイル画像１４ｃを１組として１枚の画像に関する情報を示す。複数枚の画像を記憶する場合は、これと同様のファイルを複数個備える。ヘッダー１４ａは、当該１枚の画像の管理番号や、主画像１４ｂのサイズやエンコード方式などの画像処理能力情報を記憶する。主画像１４ｂは、他の無線通信端末である例えばデジタルカメラ１から送信された当該１枚の画像のオリジナル画像を記憶する。サムネイル画像１４ｃは、同様に、デジタルカメラ１から送信される。このサムネイル画像１４ｃは、主画像１４ｂのサムネイル版である。
【００２７】
次に、ブルートゥース通信システムの詳細動作について、図５、図６、図７を用いて説明する。  
図５は、デジタルカメラ１（イニシエータ）から携帯電話機２（レスポンダ）に画像を送信するシーケンスを説明する図である。まず、デジタルカメラ１は、携帯電話機２に対して、携帯電話機２の受信可能な画像処理能力を取得要求する（Ｓ１）。携帯電話機２は、画像処理能力ファイル１３の中から、携帯電話機２自体の画像処理能力１３ａではなく、他の例えば、プリンタ３の画像処理能力１３ｂである「画像サイズ＝１２８０ドット×１０２４ドット、エンコード方式＝ＪＰＥＧ」をデジタルカメラ１へ応答する（Ｓ２）。
【００２８】
デジタルカメラ１は、携帯電話機２の受信可能な画像処理能力を、「画像サイズ＝１２８０ドット×１０２４ドット、エンコード方式＝ＪＰＥＧ」と判断して、その画像を携帯電話機２へ送信する（Ｓ３）。携帯電話機２は、この画像を表示したり画像変換する画像処理能力はないが、画像ファイル１４の容量が大きいので画像ファイル１４の主画像１４ｂに記憶し、ヘッダー１４ａに画像番号を付ける（Ｓ４）。
【００２９】
次に、携帯電話機２は、携帯電話機２自体の画像処理能力１３ａとプリンタ３の画像処理能力１３ｂを比較して、携帯電話機２自体の画像処理能力１３ａでは、主画像１４ｂを表示したり変換処理することができないと判断する。そして、デジタルカメラ１に対して、主画像１４ｂに対応するサムネイル版（画像サイズ＝１６０ドット×１２０ドット、エンコード方式＝ＪＰＥＧ）を要求する（Ｓ５）。デジタルカメラ１は、主画像１４ｂに対応するサムネイル版の画像を携帯電話機２へ送信する（Ｓ６）。携帯電話機２は、受信したサムネイル版の画像を主画像１４ｂに関連付けて、画像ファイル１４のサムネイル画像１４ｃに記憶する（Ｓ７）。
【００３０】
このように、デジタルカメラ１（イニシエータ）と携帯電話機２（レスポンダ）間のブルートゥース通信の手順は、Ｂａｓｉｃ  Ｉｍａｇｉｎｇ  Ｐｒｏｆｉｌｅ（ＢＩＰ）仕様書どおりである。ところが、携帯電話機２（レスポンダ）は、携帯電話機２の受信可能な画像処理能力として、携帯電話機２自体の画像処理能力１３ａではなく、携帯電話機２が通信可能な他の無線通信端末の例えばプリンタ３の受信可能な画像処理能力１３ｂを、デジタルカメラ１（イニシエータ）に応答する。このことにより、携帯電話機２は、携帯電話機２自体の画像処理能力以上の画像を入手することができる。
【００３１】
図６は、携帯電話機２がイニシエータとして、プリンタ３（レスポンダ）に画像を送信するシーケンスを説明する図である。まず、携帯電話機２のユーザが複数の画像ファイル（図示せず）の中から送信したい画像を確認するために、携帯電話機２は、例えば画像ファイル１４であれば、画像ファイル１４のサムネイル画像１４ｃをＬＣＤ１２（図２）に表示する（Ｓ１１）。携帯電話機２は、サムネイル画像の画像処理能力はあるので、これを表示することができる。
【００３２】
そして、携帯電話機２は、プリンタ３に対して、プリンタ３の受信可能な画像処理能力を取得要求する（Ｓ１２）。プリンタ３は、プリンタ３自体の画像処理能力「画像サイズ＝１２８０ドット×１０２４ドット、エンコード方式＝ＪＰＥＧ」を携帯電話機２へ応答する（Ｓ１３）。
【００３３】
携帯電話機２は、この受信した画像処理能力「画像サイズ＝１２８０ドット×１０２４ドット、エンコード方式＝ＪＰＥＧ」と、主画像１４ｂの画像処理能力が記録されているヘッダー１４ａとを比較し、適合するかを判断する（Ｓ１４）。これは、予め、プリンタ３の画像処理能力情報が既知情報として、画像処理能力ファイル１３（図３）のプリンタ３の画像処理能力１３ｂに登録されている場合には必要ないが、既知情報ではなくて、標準的な画像処理能力を適当に登録してある場合に、送信画像とレスポンダの適合を判断するためである。
【００３４】
そして、適合していれば、携帯電話機２は、「画像サイズ＝１２８０ドット×１０２４ドット、エンコード方式＝ＪＰＥＧ」の主画像１４ｂをプリンタ３へ送信する（Ｓ１５）。プリンタ３は、受信した主画像１４ｂを印刷する（Ｓ１６）。
【００３５】
プリンタ３は、場合によっては、サムネイル版を携帯電話機２に要求することも考えられる（Ｓ１７）。携帯電話機２は、サムネイル版もサムネイル画像１４ｃに記憶しているので、これをプリンタ３へ送信することができる（Ｓ１８）。
【００３６】
以上、図５、図６で説明したように、携帯電話機２は、携帯電話機２自体の表示や変換処理等の画像処理能力が低くても、容量の大きい画像ファイルさえあれば、高い画像処理能力を必要とする画像を入手して記憶することができる。このことにより、携帯電話機２を画像の記憶装置替わりに使用することができる。また、携帯電話機２は、高い画像処理能力を必要とする画像を他の高い画像処理能力を備える無線通信端末に送信することにより、その無線通信端末で表示や印刷等の画像再生を行うことができる。
【００３７】
図７は、携帯電話機２が他の無線通信端末であるプリンタ３の画像処理能力情報を入手するシーケンスを説明する図である。上記した図３の説明では、他の無線通信端末の画像処理能力１３ｂ、１３ｃ、１３ｄは、携帯電話機２に、既知情報として記憶されているもの又は標準的な画像処理能力情報が記憶されているものとしたが、図７では、携帯電話機２が他の無線通信端末と実際に通信して、画像処理能力１３ｂ、１３ｃ、１３ｄを入手する方法について説明する。
【００３８】
まず、携帯電話機２（イニシエータ）は、プリンタ３（レスポンダ）に対して、プリンタ３の受信可能な画像処理能力を取得要求する（Ｓ２１）。プリンタ３は、プリンタ３自体の画像処理能力「画像サイズ＝１２８０ドット×１０２４ドット、エンコード方式＝ＪＰＥＧ」を携帯電話機２へ応答する（Ｓ２２）。携帯電話機２は、これをプリンタ３の画像処理能力１３ｂとして記憶する。
【００３９】
同様の手順で、携帯電話機２は、パソコン４やテレビ５と通信して、それぞれの画像処理能力データを入手して、パソコン４の画像処理能力１３ｃ、テレビ５の画像処理能力１３ｄとして記憶する。
【００４０】
これにより、携帯電話機２は、利用可能な他の無線通信端末が変更になっても、問題なく対応することができる。
【００４１】
なお、上述した各実施例では、画像処理能力の低い無線通信端末として携帯電話機２について説明したが、携帯電話機２に限らず画像処理能力の低い他の無線通信端末であってもよい。
【００４２】
また、上述した各実施例では、携帯電話機２は、携帯電話機２自体の画像処理能力よりも高い他の無線通信端末の高画像処理能力を宣言して、高画質の画像を受信して入手していた。しかし、これに限らず、携帯電話機２自体の画像処理能力よりも低い他の無線通信端末の低画像処理能力を宣言して、低画質の画像を受信して入手してもよい。  
これにより、携帯電話機２は、携帯電話機２自体がオリジナルの画像から低画質の画像に変換する能力はあっても、その変換処理を行わずに低画質の画像を受信して入手することができる。そして、その低画質の画像をそのまま、画像処理能力の低い他の無線通信端末に転送して利用することができる。
【図面の簡単な説明】
【００４３】
【図１】本発明の実施例に係るブルートゥース通信システムの構成図。
【図２】本発明の実施例に係るブルートゥース通信システムの携帯電話機の主要部のブロック図。
【図３】本発明の実施例に係る携帯電話機の画像処理能力ファイルを示す図。
【図４】本発明の実施例に係る携帯電話機の画像ファイルを示す図。
【図５】本発明の実施例に係るデジタルカメラ（イニシエータ）から携帯電話機（レスポンダ）に画像を送信するシーケンスを説明する図。
【図６】本発明の実施例に係る携帯電話機（イニシエータ）からプリンタ（レスポンダ）に画像を送信するシーケンスを説明する図。
【図７】本発明の実施例に係る携帯電話機（イニシエータ）がプリンタ（レスポンダ）の画像処理能力情報を入手するシーケンスを説明する図。
【符号の説明】
【００４４】
１  デジタルカメラ
２  携帯電話機
３  プリンタ
４  パソコン
５  テレビ
１１  キー入力部
１２  ＬＣＤ
１３  画像処理能力ファイル
１４  画像ファイル
１５  ブルートゥース通信部
１６  制御部
【図１】
2005236488.tif 000003
【図２】
2005236488.tif 000004
【図３】
2005236488.tif 000005
【図４】
2005236488.tif 000006
【図５】
2005236488.tif 000007
【図６】
2005236488.tif 000008
【図７】
2005236488.tif 000009